(57)【要約】      （修正有）【課題】複数の基本色から選択して別の混合色を作成するために、混合比率などの混色情報が表示された混色カードを提供する。【解決手段】本混色カードは、複数の基本色のうち少なくとも２色を選択色として選択して、これらの選択色を混色して、前記選択色と異なる混合色を作成するための混色情報が表示された色彩構成学習のための複数のカードからなる混色カードであって、複数の基本色がそれぞれ表示された複数の基本色カードと、複数の混合色がそれぞれ表示された複数の混合色カードとを含む複数のカードから構成され、前記各混合色カードにそれぞれ表示された混色情報は、混色によって得られる混合色を示す混合色情報と、前記混合色を得るために選択すべき選択色を示す選択色情報と、前記混合色を得るために前記選択色を混合する混合比率を示す混合情報とを含んでいることを特徴としている。【選択図】 図１
0003163691.tif 000002
【実用新案登録請求の範囲】
【請求項１】
複数の基本色のうち少なくとも２色を選択色として選択して、これらの選択色を混色して、前記選択色と異なる混合色を作成するための混色情報が表示された色彩構成学習のための複数のカードからなる混色カードであって、
複数の基本色がそれぞれ表示された複数の基本色カードと、
複数の混合色がそれぞれ表示された複数の混合色カードとを含む複数のカードから構成され、
前記各混合色カードにそれぞれ表示された混色情報は、
混色によって得られる混合色を示す混合色情報と、前記混合色を得るために選択すべき選択色を示す選択色情報と、前記混合色を得るために前記選択色を混合する混合比率を示す混合情報とを含んでいることを特徴とする混色カード。
【請求項２】
前記混合色カードには、
前記混合色情報として、混合色がカラー印刷で表示され、
前記選択色情報として、選択色に対応して設定された色番号が表示され、
前記混合情報として、前記選択色を混合すべき混合比率が、各選択色毎に数字で表示されていることを特徴とする請求項１に記載の混色カード。
【請求項３】
前記混合色カードの表面には、混合色がカラー印刷され、
前記混合色カードの裏面には、表面に印刷された混合色に対応する色番号と、前記混合色を得るために選択すべき選択色に対応する色番号と、色名と、混合比率が、それぞれ印刷されていることを特徴とする請求項２に記載の混色カード。
【請求項４】
前記基本色カードは、基本色として設定された１２色に対応する１２枚の基本色カードからなり、
前記混合色カードは、混合色として設定された１０８色に対応する１０８枚の混合色カードからなることを特徴とする請求項１乃至３の何れか１項に記載の混色カード。
【請求項５】
前記基本色としては、
カーマイン、
バーミリオン、
イエローディープ、
レモンイエロー、
ライトグリーン、
ビリジャン、
セルリアンブルー、
コバルトブルー、
モーブ、
バーントシェナー、
ブラック、
ホワイト、
の１２色が設定されていることを特徴とする請求項１乃至４の何れか１項に記載の混色カード。
【請求項６】
前記基本色に対応する色番号としては、
カーマインに対しては色番号１番が設定され、
バーミリオンに対しては色番号２番が設定され、
イエローディープに対しては色番号３番が設定され、
レモンイエローに対しては色番号４番が設定され、
ライトグリーンに対しては色番号５番が設定され、
ビリジャンに対しては色番号６番が設定され、
セルリアンブルーに対しては色番号７番が設定され、
コバルトブルーに対しては色番号８番が設定され、
モーブに対しては色番号９番が設定され、
バーントシェナーに対しては色番号10番が設定され、
ブラックに対しては色番号11番が設定され、
ホワイトに対しては色番号12番が設定されていることを特徴とする請求項５に記載の混色カード。
【請求項７】
前記各カードは、長辺が１００mm、短辺が３０mmの短冊状のカードで構成されている。
ことを特徴とする請求項１乃至６の何れか１項に記載の混色カード。
【請求項８】
前記各カードには綴り孔が開けられ、前記綴り孔には連結手段が挿通されて、全てのカードが前記連結手段によって連結されていることを特徴とする請求項１乃至７の何れか１項に記載の混色カード。
【請求項９】
基本色カードと、混合色カードに加えて、当該混色カードの使用方法の説明書が表示されている説明カードも合わせて連結されていることを特徴とする請求項１乃至８の何れか１項に記載の混色カード。
【考案の詳細な説明】
【技術分野】
【０００１】
本考案は、ポスターカラーや絵具などの複数の色を混合して、別の色を作成するというような自分で色を作成する学習に適したカード状の教材に関するものである。
【背景技術】
【０００２】
他種類の色の名前を学習するためのカードや、マンセルカラー番号を確認するための色見本を示したカードが知られている。
また、特許文献１には、３色以上の色見本を並べて示した１枚の色見本カードであって、この３色以上の色見本には、その色見本カードの基本となる基調色、その基調色に変化を
与えることができる副調色、強調色をそれぞれ１種又は２種以上有し、前記基調色、前記副調色、及び前記強調色の色相が同じであり、前記基調色、前記副調色、及び前記強調色の色調の濃さの順序は、（ａ）基調色＜副調色＜強調色、又は、（ｂ）基調色＞副調色＞強調色、のいずれかであり、基調色色見本、副調色色見本、強調色色見本が色見本カード上に並列に示され、その色見本カード中央部分にある色見本が基調色色見本であり、その基調色色見本の一方には、副調色色見本があり、これとは異なる方には、強調色色見本があり、前記基調色見本の面積は、前記副調色色見本の面積、及び前記強調色色見本の面積より大きいことを特徴とする色見本カードが開示されている。
【先行技術文献】
【特許文献】
【０００３】
【特許文献１】特許第４４４３１５４号公報
【考案の概要】
【考案が解決しようとする課題】
【０００４】
従来の色見本カードでは、色の種類や名前は知ることができるが、実際に作成したい色がある場合に、どの色とどの色を、どのような混合比率で混合したら良いのか、手軽に知ることはできなかった。
前記特許文献１に記載された発明では、実際に作成したい色がある場合に、どの色とどの色を、どのような混合比率で混合したら良いのか、手軽に知ることはできなかった。
【０００５】
特に、色彩構成の学習においては、種々の色は、どのような有彩色どうしを、どのような混合比率で混色することで作成でるのかを例示することが有効である。
そこで、本考案においては、複数の基本色のうち少なくとも２色を選択色として選択して、これらの選択色を混色して、前記選択色と異なる混合色を作成するための混色情報が表示された色彩構成学習のための複数のカードからなる混色カードを提案して、色彩構成の学習に適したカードを提供することを目的とするものである。
【課題を解決するための手段】
【０００６】
本考案に係る請求項１の混色カードは、
複数の基本色のうち少なくとも２色を選択色として選択して、これらの選択色を混色して、前記選択色と異なる混合色を作成するための混色情報が表示された色彩構成学習のための複数のカードからなる混色カードであって、
複数の基本色がそれぞれ表示された複数の基本色カードと、
複数の混合色がそれぞれ表示された複数の混合色カードとを含む複数のカードから構成され、
前記各混合色カードにそれぞれ表示された混色情報は、
混色によって得られる混合色を示す混合色情報と、前記混合色を得るために選択すべき選択色を示す選択色情報と、前記混合色を得るために前記選択色を混合する混合比率を示す混合情報とを含んでいることを特徴としている。
請求項２では、
前記混合色カードには、
前記混合色情報としては、混合色がカラー印刷で表示され、
前記選択色情報としては、選択色に対応して設定された色番号で表示され、
前記混合情報としては、前記選択色を混合すべき混合比率が、各選択色毎に数字で表示されていることを特徴としている。
【０００７】
請求項３では、
前記混合色カードの表面には、混合色がカラー印刷され、
前記混合色カードの裏面には、表面に印刷された混合色に対応する色番号と、前記混合色を得るために選択すべき選択色に対応する色番号と、色名と、混合比率が、それぞれ印刷されていることを特徴としている。
請求項４では、
前記基本色カードは、基本色として設定された１２色に対応する１２枚の基本色カードからなり、
前記混合色カードは、混合色として設定された１０８色に対応する１０８枚の混合色カードからなることを特徴としている。
【０００８】
請求項５では、
前記基本色としては、
カーマイン、
バーミリオン、
イエローディープ、
レモンイエロー、
ライトグリーン、
ビリジャン、
セルリアンブルー、
コバルトブルー、
モーブ、
バーントシェナー、
ブラック、
ホワイト、
の１２色が設定されている。
請求項６では、
前記基本色に対応する色番号としては、
カーマインに対しては色番号１番が設定され、
バーミリオンに対しては色番号２番が設定され、
イエローディープに対しては色番号３番が設定され、
レモンイエローに対しては色番号４番が設定され、
ライトグリーンに対しては色番号５番が設定され、
ビリジャンに対しては色番号６番が設定され、
セルリアンブルーに対しては色番号７番が設定され、
コバルトブルーに対しては色番号８番が設定され、
モーブに対しては色番号９番が設定され、
バーントシェナーに対しては色番号10番が設定され、
ブラックに対しては色番号11番が設定され、
ホワイトに対しては色番号12番が設定されている。
【０００９】
請求項７では、
前記各カードは、長辺が１００mm、短辺が３０mmの短冊状のカードで構成されている。
請求項８では、
前記各カードには綴り孔が開けられ、前記綴り孔には連結手段が挿通されて、全てのカードが前記連結手段によって連結されている。
【００１０】
請求項９では、
基本色カードと、混合色カードに加えて、当該混色カードの使用方法の説明書が表示されている説明カードも合わせて連結されている。
【考案の効果】
【００１１】
本考案の請求項１に係る混色カードは、
複数の基本色のうち少なくとも２色を選択色として選択して、これらの選択色を混色して、前記選択色と異なる混合色を作成するための混色情報が表示された色彩構成学習のための複数のカードからなる混色カードであって、
複数の基本色がそれぞれ表示された複数の基本色カードと、
複数の混合色がそれぞれ表示された複数の混合色カードとから構成され、
前記各混合色カードにそれぞれ表示された混色情報は、
混色によって得られる混合色を示す混合色情報と、前記混合色を得るために選択すべき選択色を示す選択色情報と、前記混合色を得るために前記選択色を混合する混合比率を示す混合情報とを含んでいるので、
混合色カードに表示された混合色を作成したい場合には、
その混合色カードに表示された選択色情報に基づいて、選択色を、複数の基本色の中らか選択し、
その混合色カードに表示された混合情報に基づいて、選択色を混合すればよいので、
混合色と選択色との色彩構成の関係の学習に適している。
請求項２では、
前記混合色カードには、
前記混合色情報としては、混合色がカラー印刷で表示され、
前記選択色情報としては、選択色に対応して設定された色番号で表示され、
前記混合情報としては、前記選択色を混合すべき混合比率が、各選択色毎に数字で表示されているので、
作成したい混合色を複数の混合色カードから容易に選択でき、
必要な選択色を、複数の基本色から色番号で容易に選択でき、
混合すべき比率を、数字で示された混合比率により容易に知ることができる。
【００１２】
請求項３では、
前記混合色カードの表面には、混合色がカラー印刷され、
前記混合色カードの裏面には、表面に印刷された混合色に対応する色番号と、前記混合色を得るために選択すべき選択色に対応する色番号と、色名と、混合比率が、それぞれ印刷されているので、
表面に混合色を見て必要な選択色や混合比率を予想したりできるので、すぐれた学習効果が得られる。
請求項４では、
前記基本色カードは、基本色として設定された１２色に対応する１２枚の基本色カードからなり、
前記混合色カードは、混合色として設定された１０８色に対応する１０８枚の混合色カードからなるので、
ボスターカラーの基本色に対応しているとともに、通常において必要な１０８色の混合色にも対応しているので、使用しやすい。
【００１３】
請求項５では、
前記基本色としては、
カーマイン、
バーミリオン、
イエローディープ、
レモンイエロー、
ライトグリーン、
ビリジャン、
セルリアンブルー、
コバルトブルー、
モーブ、
バーントシェナー、
ブラック、
ホワイト、
の１２色が設定されているので、ポスターカラーの基本１２色と対応して使用しやすい。    請求項６では、
前記基本色に対応する色番号としては、
カーマインに対しては色番号１番が設定され、
バーミリオンに対しては色番号２番が設定され、
イエローディープに対しては色番号３番が設定され、
レモンイエローに対しては色番号４番が設定され、
ライトグリーンに対しては色番号５番が設定され、
ビリジャンに対しては色番号６番が設定され、
セルリアンブルーに対しては色番号７番が設定され、
コバルトブルーに対しては色番号８番が設定され、
モーブに対しては色番号９番が設定され、
バーントシェナーに対しては色番号10番が設定され、
ブラックに対しては色番号11番が設定され、
ホワイトに対しては色番号12番が設定され、
ているので、色番号で１２色の基本色を識別しやすい。
【００１４】
請求項７では、
前記各カードは、長辺が１００mm、短辺が３０mmの短冊状のカードであるので、手頃な大きさであり携行しやすい。
請求項８では、
前記各カードには綴り孔が開けられ、前記綴り孔には連結手段が挿通されて、全てのカードが前記連結手段によって連結されているので、バラバラになりにくく、紛失しにくいとともに、まとめて携行しやすい。
【００１５】
請求項９では、
基本色カードと、混合色カードに加えて、当該混色カードの使用方法の説明書が表示されている説明カードも合わせて連結されているので、説明書を紛失しにくいとともに、まとめて携行しやすい。
【図面の簡単な説明】
【００１６】
【図１】本考案にかかる混色カードの一例を示す全体斜視図である。
【図２】前記混色カードの構成の一例を示す平面図である。
【図３】実施例１に係る基本色カードの表面と裏面の表示を説明する説明図である。
【図４】実施例１に係る混合色カードの表面と裏面の表示を説明する説明図である。
【考案を実施するための形態】
【００１７】
以下に、本考案に係る混色カードを実施するための形態を、図面を参照しながら説明する。
図１、２に示したように、本考案に係る混色カード１は、複数のカード２が、プラスチック製で筒状の連結手段３によってまとめて連結されて構成されたものである。
前記カード２は、図２に示したように、表紙カード３１と裏表紙カード３２との間に、例えば４枚の説明カード４と、１２枚の基本色カード５と、１０８枚の混合色カード６とが挟み込まれた状態で連結されている。前記１２枚の基本色カード５と、１０８枚の混合色カード６は、それぞれの色に付された色番号の順に連結されている。
【実施例１】
【００１８】
実施例１に係る混色カードを以下に説明する。
まず、１２枚の基本色カード５の構成を以下に説明する。
１枚の基本色カードの大きさは、長辺が１００mmで短辺が３０mmであり、その形状は矩形の短冊状のカードである。材質は厚紙製であり、一方の短辺の近くに綴り孔３３が設けられている。
そして、１２色の基本色カードとその色番号は以下のとおりに設定されている。
１枚目の基本色カードの色は、カーマインであり、その色番号としては１番が設定されている。
２枚目の基本色カードの色は、バーミリオンであり、その色番号としては２番が設定されている。
３枚目の基本色カードの色は、イエローディープであり、その色番号としては３番が設定されている。
４枚目の基本色カードの色は、レモンイエローであり、その色番号としては４番が設定されている。
５枚目の基本色カードの色は、ライトグリーンであり、その色番号としては５番が設定されている。
６枚目の基本色カードの色は、ビリジャンであり、その色番号としては６番が設定されている。
７枚目の基本色カードの色は、セルリアンブルーであり、その色番号としては７番が設定されている。
８枚目の基本色カードの色は、コバルトブルーであり、その色番号としては８番が設定されている。
９枚目の基本色カードの色は、モーブであり、その色番号としては９番が設定されている。
10枚目の基本色カードの色は、バーントシェナーであり、その色番号としては10番が設定されている。
11枚目の基本色カードの色は、ブラックであり、その色番号としては11番が設定されている。
12枚目の基本色カードの色は、ホワイトであり、その色番号としては12番が設定されている。
例えば、図３に示した色番号１番の基本色カード５１の表面には、図３の（Ａ）に示したように、前面に色番号１番のカーマインがカラー印刷されている。裏面には、図３の（Ｂ）に示したように、色番号を示す１の数字と、その色名を示す「カーマイン」の文字が印刷されている。
【００１９】
前記１０８枚の混合色カード６の構成を、図４を参照して以下に説明する。
１枚の混合色カードの大きさは、長辺が１００mmで短辺が３０mmであり、その形状は矩形の短冊状のカードである。材質は厚紙製であり、一方の短辺の近くに綴り孔３３が設けられている。
例えば色番号１０７番が付された混合色カード６１の表面には、図４の（Ａ）に示したように、全面に１０７番の混合色がカラー印刷されている。
前記混合色カード６１の裏面には、図４の（Ｂ）に示したように、混合色の色番号を表示する混合色色番号表示欄６１１と、混合する一方の選択色の色番号を表示する第１選択色色番号表示欄６１２と、前記選択色の色名を表示する第１色名表示欄６１３と、前記選択色の混合比率を表示する第１混合比率表示欄６１４と、比率を示す記号「：」を表示する欄６１５と、他方の選択色の混合比率を表示する第２混合比率表示欄６１６と、前記選択色の色番号を表示する第２選択色色番号表示欄６１７と、前記選択色の色名を表示する第２色名表示欄６１８とが順番に設けられている。
前記混合色色番号表示欄６１１には、混合色の色番号である数字「１０７」が印刷され、続いて、第１選択色色番号表示欄６１２には１番の基本色を示す数字「１」が印刷され、第１色名表示欄６１３には色番号１に対応する基本色の名である文字「カーマイン」が印刷され、続いて、第１混合比率表示欄６１４にはカーマインの混合比率「４」が印刷され、第２混合比率表示欄６１６には「１」が印刷され、さらに続いて、第２選択色色番号表示欄６１７には５番の基本色を示す数字「５」が印刷され、第２色名表示欄６１８には色番号５に対応する基本色の名である文字「ライトグリーン」が印刷されている。
前記混合比率「４：１」は、色番号１番の「カーマイン」と、色番号５番の「ライトグリーン」とを、体積比が４：１の混合比率で混色することによって、表面に印刷された色番号１０７番の混合色が作成できることを示している。
【００２０】
本考案に係る混色カードに含まれる混合色カードで示された１０８種類の混合色は、ポスターカラーで実際に作る事ができる色が選択されている。
また、ポスターカラー等の絵具の性質上、３色以上の混色は、色の濁り（グレー化）の原因となるため、この混色カードでは、２色の基本色の混色を基本としている。
なお、色番号12番のホワイトを使用する場合は、２色の基本色を混色して作成した混合色の明度をさらに上げるために、最後に使用することができる。
色番号11番のブラックと、色番号１〜10番までの有彩色との混色は好ましくないので、１０８色の作成には使用していない。
有彩色の混色比率は１つの基本色を中心に、他の９色を１：１、２：１、また４：１のように混色させる。
また、１０８種類の混合色としては、できるだけ多くの異系色の混色からできる色を選択している。
例えば、緑系、茶系の色相は異系色の混色から多く作ることができる。
例：カーマインとビリジャンの混色で、色番号６３番の濃いグレーが作成できる。
例：カーマインとライトグリーンの混色で、色番号１０７番のきれいな茶色が作成できる。
【００２１】
本考案に係る混色カードに含まれる説明カード４には、当該混色カードの使用方法に関する説明文が表示されており、混合色カードの裏面の番号や数字の意味を説明している。
以上の説明においては、説明カード４の枚数は４枚とし、基本色カード５の枚数は１２枚とし、混合色カード６の枚数は１０８枚としたが、これらの枚数はあくまでも一例であって、必要に応じて増減することがあることはいうまでもない。
また、以上において説明した１２色の基本色に付した色番号は、あくまでも一例であって、必要に応じて変更することができることはいうまでもない。
また、以上において説明した１０８色の混合色に付した色番号は、あくまでも一例であって、必要に応じて変更することができることはいうまでもない。
また、前記筒状の連結手段３に代えて、リング状の連結手段を採用することもでき、素材もプラスチックに限らず金属や木を採用することもできる。
【符号の説明】
【００２２】
１  混色カード
２  カード
３  連結手段
４  説明カード
５  基本色カード
６  混合色カード
【図１】
0003163691.tif 000003
【図２】
0003163691.tif 000004
【図３】
0003163691.tif 000005
【図４】
0003163691.tif 000006
【手続補正書】
【提出日】平成22年8月25日(2010.8.25)
【手続補正１】
【補正対象書類名】実用新案登録請求の範囲
【補正対象項目名】請求項７
【補正方法】変更
【補正の内容】
【請求項７】
前記各カードは、長辺が１００mm、短辺が３０mmの短冊状のカードで構成されていることを特徴とする請求項１乃至６の何れか１項に記載の混色カード。